(57)【特許請求の範囲】
【請求項１】
バンド部とこのバンド部の根元に設けられたヘッド部とを備え、上記バンド部に、外面がこのバンド部の根元側に向かって上り勾配になった多数の係止部が並べて配備され、上記ヘッド部が筒状に形成されていると共に、そのヘッド部の内側に、先端面が上記係止部の端面に対する噛合面に形成された複数の弾性を備えた爪片を環状に配列してなる爪片群が設けられ、その爪片群によって囲まれた空間が上記バンド部の挿通空間として形成されている封緘具であって、
上記ヘッド部の内面に、上記爪片群を形成している個々の上記爪片の相互間の空間を埋める壁部が設けられていることを特徴とする封緘具。
【請求項２】
上記爪片群を形成している個々の上記爪片が、上記噛合面を形成している先端に近い位置から上記ヘッドに連設されている根元部に近付くほど幅広になった末拡がり形状を有している請求項１に記載した封緘具。
【請求項３】
上記爪片群を形成している個々の上記爪片の先端部内面が、その爪片群の軸線と平行なストレート面として形成されており、そのストレート面と上記爪片の根元部との間に位置する内面が上記爪片群の軸線に対して傾斜した傾斜面として形成されている請求項１又は請求項２に記載した封緘具。
【請求項４】
上記爪片群が、等角度おきに配列された４つの上記爪片でなる請求項１、請求項２、請求項３のいずれかに記載した封緘具。
【請求項５】
合成樹脂の一体成形体でなる請求項１、請求項２、請求項３、請求項４のいずれかに記載した封緘具。
【発明の詳細な説明】
【０００１】
【発明の属する技術分野】
本発明は、封緘具、詳しくは本来の封緘機能を確実に発揮させることができるような対策が講じられた封緘具に関する。
【０００２】
【従来の技術】
図１１に従来の封緘具を示してある。この封緘具は合成樹脂の一体成形体でなる。封緘具は断面円形のバンド部１を有し、このバンド部１は、並べて配備された多数の係止部３…を有していると共に、その先端部には細い先行ガイド部１２が備わっており、その先行ガイド部１２には、手の指でその先行ガイド部１２を引張るときの便宜のために滑り止め用の膨出部１３がリング状に備わっている。また、バンド部１の根元に設けられた筒状のヘッド部２の内部には、図１２や図１３のように、３つの爪片４１を環状に配列してなる爪片群４が設けられており、その爪片群４によって囲まれた空間がバンド部１の挿通空間２１として形成されている。また、図１３のように、爪片群４を形成している個々の爪片４１はその根元部４１ａだけがヘッド部２に連設されてそのヘッド部２から立ち上がった形に形成されている。
【０００３】
このような封緘具において、図１４のようにバンド部１をループ状に撓ませてその先行ガイド部１２をヘッド部２に矢符ａのように挿入すると、図１５のように、先行する係止部３が上記爪片群４をすり抜けて挿入される。そして、バンド部１が同図の矢符ｂのようにヘッド部２からの引抜き方向に引張られたときには、爪片群４をすり抜けている所定の係止部３がその爪片群４に噛合してその引抜きが阻止され、本来の封緘機能が発揮される。
【０００４】
【発明が解決しようとする課題】
この封緘具で荷物を封緘している通常の実使用時には、ヘッド部２の頂部２ａ側や基部２ｂ側から細い針のような線材をヘッド部２の内部に差し込み、その線材で爪片群４を形成している個々の爪片４１のうちの任意のものを横に押し倒したりして変形させることが不可能であるとは言えず、そのような操作が行われると、係止部３と爪片群４との噛合状態が解かれて本来の封緘機能が損なわれることがあり得る。また、衝撃力や折曲力が加わっても係止部３と爪片群４との噛合状態が解かれたりすることはないけれども、バンド部１が大きな力で故意に引抜き方向に引張られたりしたときには、爪片群４に係止部３が非常に強く押しつけられてその爪片群４を形成している個々の爪片４１の先端が圧潰したり変形したり、あるいは爪片４１が横に押し倒されたりしてそれらの噛合状態が強制的に解かれて封緘機能の損なわれることがあり得る。
【０００５】
したがって、これらのことを悪用し、荷物などに取り付けられた封緘具のバンド部１を大きな力で故意に引張ったり線材を用いて爪片４１を横に押し倒したりすることによってその封緘機能を損なわせた後、その封緘具を荷物から取り外してその内容物を抜き出し、その後にバンド部１をヘッド部２に再び挿入して封緘が行われているように見せかけるといった不正行為の行われるおそれがある。
【０００６】
本発明は以上の事態に鑑みてなされたものであり、ヘッド部に挿入されているバンド部が大きな力で故意に引抜き方向に引張られたりしたときに、爪片群を形成している個々の爪片が横に押し倒されることによって封緘機能が損なわれてしまうおそれを少なくして上述したような不正行為が行われないようにすることのできる合成樹脂製封緘具を提供することを目的とする。
【０００７】
また、本発明は、細い針金のような線材を使って爪片群を形成している個々の爪片を横に押し倒すという操作ができないようにすることによって、上述したような不正行為が行われないようにすることのできる合成樹脂製封緘具を提供することを目的とする。
【０００８】
さらに、本発明は、ヘッド部に挿入されているバンド部が大きな力で故意に引抜き方向に引張られたりしたときに、爪片群を形成している個々の爪片の先端の圧潰や変形により封緘機能が損なわれてしまうおそれを少なくして上述したような不正行為が行われないようにすることのできる合成樹脂製封緘具を提供することを目的とする。
【０００９】
【課題を解決するための手段】
請求項１に係る発明の封緘具は、バンド部とこのバンド部の根元に設けられたヘッド部とを備え、上記バンド部に、外面がこのバンド部の根元側に向かって上り勾配になった多数の係止部が並べて配備され、上記ヘッド部が筒状に形成されていると共に、そのヘッド部の内側に、先端面が上記係止部の端面に対する噛合面に形成された複数の弾性を備えた爪片を環状に配列してなる爪片群が設けられ、その爪片群によって囲まれた空間が上記バンド部の挿通空間として形成されている封緘具であって、上記ヘッド部の内面に、上記爪片群を形成している個々の上記爪片の相互間の空間を埋める壁部が設けられている、というものである。
【００１０】
この発明によれば、ヘッド部の内面に設けられている壁部が爪片群を形成している個々の爪片の相互間の空間を埋めているので、爪片が上記壁部に当たることによって爪片が横に押し倒されるという事態が未然に阻止される（横倒れ防止作用）。そのため、ヘッド部に挿入されているバンド部が大きな力で故意に引抜き方向に引張られたりしても、爪片が横に押し倒されて封緘機能が損なわれるという事態が起こらず、また、細い針金のような線材を使って爪片を横に押し倒すことによって封緘機能を損なわせるという操作を行うこともできなくなる。
【００１１】
請求項２に係る発明の封緘具は、請求項１に記載したものにおいて、上記爪片群を形成している個々の上記爪片が、上記噛合面を形成している先端に近い位置から上記ヘッドに連設されている根元部に近付くほど幅広になった末拡がり形状を有している、というものである。
【００１２】
この発明によれば、爪片の末拡がり形状が、その爪片を横に押し倒されにくくすることに役立つ。したがって、上記した壁部による横倒れ防止作用と爪片の末拡がり形状とが相まって、爪片が横に押し倒されるという事態を生じることがなくなる。
【００１３】
請求項３に係る発明の封緘具は、請求項１又は請求項２に記載したものにおいて、上記爪片群を形成している個々の上記爪片の先端部内面が、その爪片群の軸線と平行なストレート面として形成されており、そのストレート面と上記爪片の根元部との間に位置する内面が上記爪片群の軸線に対して傾斜した傾斜面として形成されている、というものである。
【００１４】
この発明によれば、爪片群を形成している個々の爪片の先端部内面が、その爪片群の軸線と平行なストレート面として形成されていることにより、ヘッド部に挿入されているバンド部が大きな力で故意に引抜き方向に引張られたりしても、爪片の先端に圧潰や変形が生じにくく、そのことによって封緘機能が損なわれてしまうおそれが少なくなる。また、ストレート面と爪片の根元部との間に位置する内面が爪片群の軸線に対して傾斜した傾斜面として形成されていることにより、爪片群によって形成されるバンド部の挿通空間が爪片群の先端側に近付くほど径小になり、そのことが、バンド部をその挿通空間に挿入しやすくすることに役立つ。
【００１５】
請求項４に係る発明の封緘具は、請求項１、請求項２、請求項３のいずれかに記載したものにおいて、上記爪片群が、等角度おきに配列された４つの上記爪片でなる、というものである。
【００１６】
この発明のように４つの爪片によっで爪片群が形成されていると、従来のように３つの爪片で爪片群が形成されているものに比べて爪片群の強度が向上する。そのため、ヘッド部に挿入されているバンド部が大きな力で故意に引抜き方向に引張られたりしても、爪片の先端に圧潰や変形、さらには横倒れが生じにくくなり、そのために封緘機能が損なわれにくくなる。
【００１７】
請求項５に係る発明の封緘具は合成樹脂の一体成形体でなるというものである。この発明によれば、上記した各請求項に係る発明の封緘具を安価に製作することができる。
【００１８】
【発明の実施の形態】
図１は本発明に係る封緘具を一部省略した示した概略平面図、図２は同封緘具を一部省略した示した概略側面図、図３は使用手順説明図、図４は使用状態説明図、図５はヘッド部２を拡大した平面図、図６は図５のＶＩ−ＶＩ線に沿う部分断面図、図７は図５のＶＩＩ−ＶＩＩ線に沿う断面図、図８は図７のＶＩＩＩ矢視図、図９は封緘作用を説明するための断面図、図１０は逆挿入防止部の作用を説明するための断面図である。
【００１９】
図１及び図２に示した封緘具は合成樹脂の一体成形体でなる。この封緘具の成形に用いる合成樹脂としてナイロン６６やポリプロピレンを用いると、バンド部１が大きな力で引張られてもそのバンド部１が延伸するだけで容易に引きちぎられてしまうという事態が起こりにくい。
【００２０】
図１及び図２のように、バンド部１の根元部分１４に板片状の表示札１５が連設されており、この表示札１５に名前などを表示することができるようになっている。また、バンド部１は、その先端部に細い先行ガイド部１２を有している。さらに、バンド部１は、その根元部分１４と先行ガイド部１２との間の部分が断面円形に形成されていて、その部分に断面円形の多数の係止部３…が等間隔おきに並べて配備されている。これらの係止部３…のそれぞれは、その外面がバンド部１の根元側に向かって上り勾配になっている。そして、上記先行ガイド部１２には、手の指でその先行ガイド部１２を引張るときの便宜のために２条の滑り止め用の膨出部１３がリング状に備わっていると共に、それらの膨出部１３に並べてその先行ガイド部１２の全周囲に張り出したフランジでなる逆挿入防止部５が備わっている。
【００２１】
バンド部１の根元には、上記表示札１５の端部近傍箇所から突出されたヘッド部２が設けられている。このヘッド部２は筒状で、その内部に爪片群４を有している。図５〜図８のように、爪片群４は４つの弾性を備えた爪片４１を等角度おきの環状に配列してなり、それぞれの爪片４１は、その根元部４１ａだけがヘッド部２に連設されてそのヘッド部２から立ち上がった形に形成されている。さらに、爪片４１は、後述する噛合面４３を形成している先端に近い位置からヘッド２に連設されている根元部４１ａに近付くほど幅広になった末拡がり形状を有している。また、図６に一部拡大して示したように、それぞれの爪片４１は、その先端部内面が、その爪片群４の軸線と平行なストレート面４２ａとして形成されていると共に、そのストレート面４２ａと根元部４１ａとの間に位置する内面が爪片群４の軸線に対して傾斜した傾斜面４２ｂとして形成されている。このため、４つの爪片４１…によって形成されている爪片群４によって囲まれた空間は、爪片４１の傾斜面４２ｂに対応する部分が爪片群４の先端側に近付くほど径小になっており、また、爪片４１のストレート面４２ａに対応する部分が軸方向のどの部分も同一の直径になっている。そして、この爪片群４によって囲まれたこの空間が、バンド部を挿通させるための挿通空間２１として形成されている（図５及び図８参照）。挿通空間２１がこのような形状になっていると、バンド部１をその挿通空間２１に挿入しやすい。さらに、それぞれの爪片４１の先端面は上記したバンド部１の係止部３の端面３１（図１０参照）に対する噛合面４３として形成されている。
【００２２】
爪片群４が上記のように構成されているのに対し、図６や図８に示したように、ヘッド部２の内面には等角度おきの４箇所に平面視略三角形の壁部２２…が一体に設けられており、これらの壁部２２…によって、爪片群４を形成している個々の爪片４１の相互間の空間が埋められている。
【００２３】
ここで、上記した先行ガイド部１２の直径寸法は、爪片群４によって囲まれた上記挿通空間２１の最径小部の直径寸法と同一又は略同一であり、その先行ガイド部１２に設けられているフランジでなる逆挿入防止部５の直径寸法は上記挿通空間２１の最径小部の直径寸法よりも大きい。したがって、逆挿入防止部５は、爪片群４を形成している個々の爪片４１の噛合面４３の相互間に跨がる大きさ及び形状を有していて、爪片群４の先端側からその内側に押し入れることが不可能で、爪片群４の基端側からその内側に挿入することが可能になっている。
【００２４】
また、爪片群４を形成している個々の爪片４１の噛合面４３はその爪片群４の軸線に対して直交する平面として形成されており、同様に、フランジでなる逆挿入防止部５の端面によって形成されている係止面５１は先行ガイド部１２の軸線に対して直交する平面として形成されている。これに対し、滑り止め用の膨出部１３の外面は断面円弧状に湾曲している。したがって、上記逆挿入防止部５は滑り止め用としても機能するけれども、この逆挿入防止部５と本来の滑り止め用の膨出部１３とは、その外面形状によって明確に区別されている。
【００２５】
以上説明した封緘具において、図３のようにバンド部１をループ状に撓ませてその先行ガイド部１２をヘッド部２の頂部２ａ側から矢符ａのようにその内側に挿入すると、最初に逆挿入防止部５が爪片群４を押し拡げながらその爪片群４によって囲まれた挿通空間２１をすり抜けた後、係止部３が同様に爪片群４を押し拡げながら挿通空間２１をすり抜けて図９に示した形になる。この挿入は順挿入である。この形では、バンド部１がヘッド部２からの引抜き方向ｂに引張られたときに、爪片群４をすり抜けている所定の係止部３の端面３１が爪片群４を形成している個々の爪片４１の噛合面４３に噛合してその引抜きが阻止される。これにより、本来の封緘機能が発揮される。したがって、図４のようにバンド部１を荷物の例示でなる箱体１００とその箱体１００の蓋１１０との両方に亘って配設しておくと、封緘具を取り外さない限り蓋１１０を開けることができなくなって、箱体１００に収容されている内容物が不正に抜き取られるといった事態が防止される。
【００２６】
ところで、上記した封緘具によれば、ヘッド部２の内面に設けられている壁部２２が爪片群４を形成している個々の爪片４１の相互間の空間を埋めているので、爪片４１が壁部２２に当たることによって爪片４１が横に押し倒されるという事態が未然に阻止される（横倒れ防止作用）。しかも、個々の爪片４１が、先端に近い位置から根元部４１ａに近付くほど幅広になった末拡がり形状を有しているので、そのような爪片４１の末拡がり形状が、その爪片４１を横に押し倒されにくくすることに役立つ。このため、壁部２２による横倒れ防止作用と爪片４１の末拡がり形状とが相まって、爪片４１が横に押し倒されるという事態を生じることがなくなる。したがって、図４に示したような使用状態において、ヘッド部２に挿入されているバンド部１が大きな力で故意に引抜き方向に引張られたときに、図９のように係止部３の端面３１が４つの爪片４１の噛合面４３を強く押し付けても、爪片４１が横に押し倒されて封緘機能が損なわれるという事態が起こらない。また、細い針金のような線材（不図示）をヘッド部２とバンド部１との隙間から挿入し、その線材で爪片４１を横に押し倒して封緘機能を故意に損なわせようとしても、爪片４１を横に押し倒すことはできないので、そのようにして故意に封緘機能を損なわせる操作を行うこともできない。
【００２７】
また、爪片群４を形成している個々の爪片４１の先端部内面がストレート面４２ａとして形成されていることにより、ヘッド部２に挿入されているバンド部１が大きな力で故意に引抜き方向に引張られたりしても、爪片４１の先端に圧潰や変形が生じにくく、そのことによって封緘機能が損なわれてしまうおそれが少なくなる。その上、この封緘具では、爪片群４が、等角度おきに配列された４つの爪片４１…を有していて、冒頭で説明した従来の封緘具よりも爪片４１の数が多いので、それだけ爪片群４の強度が向上する。そのため、ヘッド部２に挿入されているバンド部１が大きな力で故意に引抜き方向に引張られたりしても、爪片４１の先端に圧潰や変形、さらには横倒れがいっそう生じにくくなって本来の封緘機能がいっそう損なわれにくくなる。
【００２８】
以上説明したところから判るように、この封緘具によれば、図４に例示したような使用状態において、バンド部１を大きな力で故意に引張ったり線材を用いて爪片４１を横に押し倒したりすることによってその封緘機能を損なわせるということ事態が防止されるので、そのようにして封緘機能を損なわせた後、その封緘具を荷物から取り外してその内容物を抜き出し、その後にバンド部１をヘッド部２に再び挿入して封緘が行われているように見せかけるといった不正行為の行われるおそれがない。
【００２９】
上記では、ヘッド部２にバンド部１が順挿入されて本来の封緘機能が発揮される場合を説明したけれども、この封緘具は、ヘッド部２にバンド部１が逆挿入されて本来の封緘機能が発揮されなくなるというような事態を防止する機能を持っている。すなわち、バンド部１を図３に示したものとは反対向きに撓ませてその先行ガイド部１２を図１０のようにヘッド部２の基部２ｂ側から矢符ｃのように挿入したとき、すなわち逆挿入したときには、同図のように、逆挿入防止部５が爪片群４を形成している個々の爪片４１の噛合面４３に当たってそれ以上は挿入が不可能になる。したがって、逆挿入が未然に防止されるようになり、当初は逆挿入により見掛けの上で封緘が行われているに過ぎない形で封緘具を荷物などに取り付けておき、事後的にバンド部１をヘッド部２から引き抜いて封緘具を取り外すことにより荷物などの内容物を抜き出し、その後にバンド部１をヘッド部２に順方向に挿入して本来の封緘機能が発揮されるようにしておくといった不正行為の行われるおそれをなくすることに役立つ。
【００３０】
特に、この実施形態のように、逆挿入防止部５がフランジによって形成されており、爪片４１の噛合面４３が爪片群４の軸線に対して直交する平面として形成されており、逆挿入防止部５の係止面５１が先行ガイド部１２の軸線に対して直交する平面として形成されていると、逆挿入防止部５の係止面５１が４つの爪片４１の噛合面４３に当たったときには、バンド部１が逆方向に挿入されようとしたときの力が４つの爪片４１によリ分散して受け止められるようになって、爪片４１の先端が圧潰されたり変形したりして逆挿入防止部５が爪片群４をすり抜けてしまうといった事態が起こりにくい。爪片４１の先端の圧潰や変形を防ぐことには、爪片４１の先端部内面がストレート面４２ａとして形成されていることも役立つ。その上、バンド部１が逆方向に挿入されようとしたときには、爪片４１の噛合面４３と逆挿入防止部５の係止面５１とがバンド部１の軸線に対して平行な方向で押し合って爪片４１を内側に押し倒すような力が発生するので、バンド部１が逆方向に挿入されようとしたときの力で逆挿入防止部５が爪片群４を押し拡げてすり抜けるといった事態が起こらず、上記した逆挿入が確実に防止される。
【００３１】
以上説明した実施形態では、爪片群４が４つの爪片４１によって形成されているけれども、爪片群４を形成する爪片４１の数は４つに限定されず、３つであっても、５つ以上であってもよい。また、バンド部１や係止部３が断面円形に形成されているけれども、これに限らず、たとえば、バンド部１が偏平な帯状に形成されており、そのような形状のバンド部１の片面又は両面に係止部３が鋸歯状に形成されていてもよい。
【００３２】
【発明の効果】
以上のように、本発明に係る封緘具は、ヘッド部に挿入されているバンド部が大きな力で故意に引抜き方向に引張られたりしたときに、爪片群を形成している個々の爪片が横に押し倒されることによって封緘機能が損なわれてしまうおそれがなくなるので、上述したような不正行為の行われるおそれがなくなる。また、細い針金のような線材を使って爪片群を形成している個々の爪片を横に押し倒すという操作ができないので、同様に、上述したような不正行為の行われるおそれがなくなる。
【００３３】
さらに、本発明によれば、ヘッド部に挿入されているバンド部が大きな力で故意に引抜き方向に引張られても、爪片群を形成している個々の爪片の先端の圧潰や変形により封緘機能が損なわれてしまうおそれが少なくなるので、そのことからも上述したような不正行為の行われるおそれが少なくなる。
【図面の簡単な説明】
【図１】本発明に係る封緘具を一部省略した示した概略平面図である。
【図２】同封緘具を一部省略した示した概略側面図である。
【図３】使用手順説明図である。
【図４】使用状態説明図である。
【図５】ヘッド部を拡大した平面図である。
【図６】図５のＶＩ−ＶＩ線に沿う部分断面図である。
【図７】図５のＶＩＩ−ＶＩＩ線に沿う断面図である。
【図８】図７のＶＩＩＩ矢視図である。
【図９】封緘作用を説明するための断面図である。
【図１０】逆挿入防止部の作用を説明するための断面図である。
【図１１】従来の封緘具を一部省略した示した概略平面図である。
【図１２】従来の封緘具のヘッド部を拡大した平面図である。
【図１３】図１２のＸＩＩＩ−ＸＩＩＩ線に沿う拡大断面図である。
【図１４】従来の封緘具の使用手順説明図である。
【図１５】従来の封緘具の封緘作用を説明するための断面図である。
【符号の説明】
１  バンド部
２  ヘッド部
３  係止部
４  爪片群
２１  挿通空間
２２  壁部
３１  係止部の端面
４１  爪片
４２ａ  ストレート面
４２ｂ  傾斜面
４３  噛合面
【図１】
0003605510.tif 000002
【図２】
0003605510.tif 000003
【図３】
0003605510.tif 000004
【図４】
0003605510.tif 000005
【図５】
0003605510.tif 000006
【図６】
0003605510.tif 000007
【図７】
0003605510.tif 000008
【図８】
0003605510.tif 000009
【図９】
0003605510.tif 000010
【図１０】
0003605510.tif 000011
【図１１】
0003605510.tif 000012
【図１２】
0003605510.tif 000013
【図１３】
0003605510.tif 000014
【図１４】
0003605510.tif 000015
【図１５】
0003605510.tif 000016